(57)【要約】  【課題】  ＣＤ−Ｒ又はＤＶＤ−Ｒ等の追記型の記録媒体にデータ及びデータの配置情報を記録し、配置情報を更新して追記することでデータの編集を行う場合に、データの編集により記録媒体の追記可能領域が減少していき、記録媒体が突然に編集不可能な状態になることを防ぐために、記録媒体の編集可能回数を使用者に知らせることができるデータ記録装置を提供することにある。  【解決手段】  ＤＶＤディスクに動画データの記録を行った場合、ＤＶＤディスクに記録した最新の配置情報の情報量を検出し（ステップＳ16）、ＤＶＤディスクの未書込領域の容量を検出し（ステップＳ17）、得られた未書込領域の容量、配置情報の情報量及び予想される配置情報の変化量から編集可能回数の算出を行って（ステップＳ18）、編集可能回数を表示する（ステップＳ19）。また、ＤＶＤディスクを装着した場合及びデータの編集を行った場合も同様に編集可能回数を算出して表示する。【選択図】        図４
2006216163.tif 000002
【特許請求の範囲】
【請求項１】
追記型の記録媒体にデータ及び該データの配置情報を書き込む書込手段と、前記記録媒体に書き込まれた最新の前記配置情報を読み出し、最新の前記配置情報に基づいて前記データを読み出す読出手段と、該読出手段が読み出した前記配置情報を変更し、変更した前記配置情報を前記書込手段により書き込んで前記データの編集を行う編集手段とを備えるデータ記録装置において、
前記記録媒体の未書込領域の容量を検出する検出手段と、
該検出手段が検出した未書込領域の容量に基づいて前記記録媒体に記録されたデータの編集可能回数の算出を行う算出手段と、
該算出手段が算出した編集可能回数の表示に係る処理を行う表示処理手段と
を備えることを特徴とするデータ記録装置。
【請求項２】
前記算出手段は、前記配置情報の情報量及び前記編集手段が行う編集による前記配置情報の情報量の変化量に基づいて算出を行うようにしてある請求項１に記載のデータ記録装置。
【請求項３】
前記記録媒体は着脱可能であり、
前記記録媒体を受け入れる受入手段を備え、
前記算出手段は、前記受入手段が前記記録媒体を受け入れた場合に、編集可能回数を算出するようにしてある請求項１又は請求項２に記載のデータ記録装置。
【請求項４】
前記算出手段は、前記編集手段がデータの編集を行った場合に、編集可能回数を算出するようにしてある請求項１乃至請求項３のいずれか１つに記載のデータ記録装置。
【請求項５】
前記算出手段は、前記書込手段がデータの書込を行った場合に、編集可能回数を算出するようにしてある請求項１乃至請求項４のいずれか１つに記載のデータ記録装置。
【発明の詳細な説明】
【技術分野】
【０００１】
本発明は、ＣＤ−Ｒ又はＤＶＤ−Ｒ等の追記型の記録媒体にデータを記録し、記録したデータの消去及び名称変更等の編集処理を行うことができるデータ記録装置に関する。
【背景技術】
【０００２】
音声又は動画等のデータを保存するための記録媒体として、ＣＤ−Ｒ及びＣＤ−ＲＷ等のＣＤ、又はＤＶＤ−Ｒ、ＤＶＤ−ＲＷ、ＤＶＤ＋Ｒ及びＤＶＤ＋ＲＷ等のＤＶＤが主として用いられている。これらの光ディスクには、データの記録を一度だけ行うことができ、記録したデータの書き換えが不可能なものと、記録したデータの書き換えを何度でも行えるものとがある。
【０００３】
これらの光ディスクにデータを記録する一つの方法として、データとデータの配置情報とをディスクの内周部分から外周部分へ向けて順次記録していき、データの追加を行う場合は追加するデータと更新した配置情報とを追記する方法がある。この場合、データの読み出しは最後に追記された配置情報を元に行われる。データの消去又は名称変更等の編集処理を行う場合には、配置情報のみ更新して光ディスクに追記を行うことで、物理的にデータの変更を行わずに、論理的に編集処理を行っている。この方法により、データの書き換えが不可能な光ディスクにおいても、データの編集処理を可能にしている。例えば、代表的なものとしてマルチセッションによる書き込み又はＵＤＦ（Ｕｎｉｖｅｒｓａｌ  Ｄｉｓｋ  Ｆｏｒｍａｔ）等がある。
【０００４】
特許文献１においては、追記によってＤＶＤに記録されたデータを消去する場合に、編集対象のＤＶＤが書き換え可能なものであれば、データを物理的に消去し、消去したデータよりもディスクの外周部分に配置されているデータを自動的に移動させて消去を行った領域に再配置することで、ディスクの追記可能領域を増加させることができるＤＶＤ録画装置が提案されている。
【特許文献１】特開２００４−２２０６４６号公報
【発明の開示】
【発明が解決しようとする課題】
【０００５】
光ディスクに追記の方法でデータを記録する場合、記録されたデータの編集を行う都度、データの配置情報を追記しなければならないため、編集により追記可能領域が減少していくという問題がある。このため、光ディスクに配置情報を追記する領域が残されていない場合には、たとえデータの削除であっても編集を行うことはできず、また、データを追加しなくても、データの編集を何度も行った場合には、追記可能な領域が徐々に減少していき、最終的には光ディスクのデータの編集が行えない状態になる。
【０００６】
特許文献１に記載のＤＶＤ録画装置においては、光ディスクが書き換え可能なものであり、編集によりデータを消去する場合には、データの再配置を行って追記可能領域を増加させることができるが、光ディスクが書き換え不可能なＣＤ−Ｒ、ＤＶＤ−Ｒ又はＤＶＤ＋Ｒ等である場合にはこの機能を利用することはできない。
【０００７】
よって、使用中に光ディスクが突然に編集不可能な状態とならないように、使用中の光ディスクが残り何回程度編集することが可能であるかを表示し、使用者に対して注意を促せるようにすることが望ましい。
【０００８】
本発明は、斯かる事情に鑑みてなされたものであって、その目的とするところは、記録媒体にデータ及びデータの配置情報を記録し、追記によりデータの編集を行う場合に、記録媒体の未書込領域の容量を基に、記録媒体に記録されたデータの編集可能回数を算出して表示することで、使用者に記録媒体に記録されたデータを残り何回編集することができるかを知らせることができるデータ記録装置を提供することにある。
【０００９】
また本発明の他の目的とするところは、算出手段が記録媒体の未書込領域の容量、データの配置情報の情報量及び編集により変化する配置情報の情報量の変化量に基づいて編集可能回数を算出する構成とすることで、簡単に編集可能回数を算出して表示することができるデータ記録装置を提供することにある。
【００１０】
また本発明の他の目的とするところは、記録媒体が装置本体に装着された場合に、装着された記録媒体の編集可能回数を算出して表示することで、使用者に対して確実に注意を促すことができるデータ記録装置を提供することにある。
【００１１】
また本発明の他の目的とするところは、記録媒体に記録されたデータの編集を行った場合に、編集可能回数を再度算出して表示することで、より信頼性の高い編集可能回数を算出して使用者に知らせることができるデータ記録装置を提供することにある。
【００１２】
また本発明の他の目的とするところは、記録媒体に新たなデータを追記した場合に、編集可能回数を再度算出して表示することで、追記可能領域が減少した記録媒体についての編集可能回数を使用者に対して知らせて注意を促すことができるデータ記録装置を提供することにある。
【課題を解決するための手段】
【００１３】
本発明に係るデータ記録装置は、追記型の記録媒体にデータ及び該データの配置情報を書き込む書込手段と、前記記録媒体に書き込まれた最新の前記配置情報を読み出し、最新の前記配置情報に基づいて前記データを読み出す読出手段と、該読出手段が読み出した前記配置情報を変更し、変更した前記配置情報を前記書込手段により書き込んで前記データの編集を行う編集手段とを備えるデータ記録装置において、前記記録媒体の未書込領域の容量を検出する検出手段と、該検出手段が検出した未書込領域の容量に基づいて前記記録媒体に記録されたデータの編集可能回数の算出を行う算出手段と、該算出手段が算出した編集可能回数の表示に係る処理を行う表示処理手段とを備えることを特徴とする。
【００１４】
本発明においては、記録媒体にデータ及びデータの配置情報を記録し、データを追加する場合にはデータを記録すると共に更新した配置情報を追記し、最後に記録された配置情報を元にデータを読み出し、データの編集を行う場合には配置情報を更新して追記することで書き換え不可能な記録媒体においてもデータの編集を行えるようにする。更に、記録媒体の未書込領域の容量を調べ、データの編集を行う場合の配置情報の追記に必要な容量を調べ、未書込領域の容量と編集に必要な容量とを比較することで、記録媒体があと何回編集することができるかを算出し、使用者に記録媒体の編集可能回数を知らせる。
【００１５】
また本発明に係るデータ記録装置は、前記算出手段が、前記配置情報の情報量及び前記編集手段が行う編集による前記配置情報の情報量の変化量に基づいて算出を行うようにしてあることを特徴とする。
【００１６】
この発明においては、記録媒体の未書込領域の容量、データの配置情報の情報量及び編集により変化する配置情報の情報量の変化量に基づいて編集可能回数を算出する構成とし、簡単な計算で信頼性の高い情報を使用者に知らせる。
【００１７】
また本発明に係るデータ記録装置は、前記記録媒体が着脱可能であり、前記記録媒体を受け入れる受入手段を備え、前記算出手段は、前記受入手段が前記記録媒体を受け入れた場合に、編集可能回数を算出するようにしてあることを特徴とする。
【００１８】
この発明においては、記録媒体が装置本体に装着された場合に、装着された記録媒体の編集可能回数を算出して表示し、使用者に確実に記録媒体を編集できる回数を知らせる。
【００１９】
また本発明に係るデータ記録装置は、前記算出手段は、前記編集手段がデータの編集を行った場合に、編集可能回数を算出するようにしてあることを特徴とする。
【００２０】
この発明においては、記録媒体に記録されたデータの編集を行った場合に、編集可能回数を再度算出して、より信頼性の高い情報を使用者に対して知らせる。
【００２１】
また本発明に係るデータ記録装置は、前記算出手段は、前記書込手段がデータの書込を行った場合に、編集可能回数を算出するようにしてあることを特徴とする。
【００２２】
この発明においては、記録媒体に新たなデータを追記した場合に、追記可能領域が減少した記録媒体についての編集可能回数を再度算出し、使用者に編集可能回数の減少を確実に知らせて注意を促す。
【発明の効果】
【００２３】
本発明による場合は、記録媒体にデータ及びデータの配置情報を記録し、配置情報を読み出して更新し、更新した配置情報を追記することでデータの編集を行うデータ記録装置において、記録媒体の未書込領域の容量を基に、記録媒体に記録されたデータの編集を何回行うことができるかを算出する算出手段を備えることで、使用者に記録媒体の編集可能回数を知らせることができるため、記録媒体が突然に編集不可能な状態になることを防ぐことができる。
【００２４】
また、本発明による場合は、算出手段が記録媒体の未書込領域の容量、データの配置情報の情報量及び編集により変化する配置情報の情報量の変化量に基づいて編集可能回数を算出する構成とすることで、簡単な計算で信頼性の高い編集可能回数の情報を得て、使用者に知らせることができる。
【００２５】
また、本発明による場合は、記録媒体が装置本体に装着された場合に、装着された記録媒体の編集可能回数を算出して表示することで、使用者に編集できる回数を確実に知らせることができ、記録媒体が突然に編集不可能な状態になることを防ぐことができる。
【００２６】
また、本発明による場合は、記録媒体に記録されたデータの編集を行った場合に、記録媒体の編集可能回数を再度算出することで、より信頼性の高い編集可能回数の情報を得ることができるため、より確実に記録媒体が突然に編集不可能な状態になることを防ぐことができる。
【００２７】
また、本発明による場合は、記録媒体に新たなデータを追記した場合に、編集可能回数を再度算出して表示することで、使用者に対して編集可能回数の減少を確実に知らせて注意を促すことができるため、記録媒体が突然に編集不可能な状態になることを防ぐことができる。
【発明を実施するための最良の形態】
【００２８】
以下、本発明をその実施の形態を示す図面に基づき具体的に説明する。図１は、本発明に係るデータ記録装置であるＤＶＤレコーダの構成を示すブロック図である。本図において１はＤＶＤレコーダの制御部であり、制御部１は以下に述べる各構成要素の動作を制御している。
【００２９】
本発明に係るＤＶＤレコーダは、テレビ放送の電波を受信部２にて受信し、受信したテレビ放送をハードディスク１４に録画し、録画したテレビ放送の動画データから保存したいものを選択してＤＶＤディスク５０に記録することができる。公衆のテレビ放送の電波を受信するための受信部２にはアンテナ５２が接続されており、アンテナ５２にて受信したテレビ放送のアナログ信号を増幅及びフィルタリング等の処理を行って信号処理部３へ与えている。信号処理部３はアナログのテレビ放送の信号をディジタルの信号に変換して画像処理部６へ与える。
【００３０】
画像処理部６は、信号処理部３にて得られた動画データの明度及び彩度等を補正し、補正した動画データをエンコーダ５へ与え、また、補正した動画データをモニタ出力用の信号に変換して出力部４へ与えている。出力部４は、外部の表示装置５１を接続して映像及び音声を出力する出力ポートを備えており、接続されたＣＲＴディスプレイ又は液晶ディスプレイ等に映像を表示することができる。エンコーダ５は、画像処理部６から与えられた動画データを、ＭＰＥＧ２又はＭｏｔｉｏｎＪＰＥＧ等の圧縮伸張方式により圧縮する機能を有している。また、画像処理部６は、圧縮された動画データを伸張する機能を有するデコーダ７から、伸張された動画データが与えられており、デコーダ７からの動画データを出力部４へ与えることができる。更に、画像処理部６は、制御部１から与えられるメニュー画面及び後述するＤＶＤディスク５０の編集可能回数等の表示命令により、これらの映像データを出力部に与え、外部の表示装置５１に表示することができる。
【００３１】
制御部１には、記録媒体であるＤＶＤ−Ｒ、ＤＶＤ−ＲＷ、ＤＶＤ＋Ｒ又はＤＶＤ＋ＲＷ等のＤＶＤディスク５０にデータの書き込みを行い、またＤＶＤディスク５０からデータの読み出しを行うＤＶＤドライブ８が接続されている。ＤＶＤドライブ８は、ピックアップ９及びモータ１０を備えており、ＤＶＤドライブ８に装着されたＤＶＤディスク５０をモータ１０により回転させ、ピックアップ９がレーザをＤＶＤディスク５０の表面に当てて、データの書き込み及び読み出しを行う。ＤＶＤディスク５０から読み出した動画データは、ハードディスク１４に記録することができ、また、デコーダ７へ与えて外部の表示装置５１に映像を表示することもできる。
【００３２】
制御部１には、ハードディスク１４をコントロールするハードディスクコントローラ１３が接続されており、エンコーダ５が圧縮した動画データをハードディスクコントローラ１３へ与えることでハードディスク１４に記録し、また、ハードディスク１４に記録された動画データをハードディスクコントローラ１３を介して読み出してデコーダ７又はＤＶＤドライブ８へ与えることができる。
【００３３】
また、制御部１には、記憶素子であるＲＡＭ１１及びＲＯＭ１２が接続されている。ＲＡＭ１１はデータを一時的に格納するためのバッファメモリであり、ＤＶＤディスク５０に書き込む動画データをハードディスク１４から読み出して一時的に格納しておく、又は、ＤＶＤディスク５０から読み出した動画データを一時的に格納してデコーダ７又はハードディスクコントローラ１３へ与える等の用途に用いられる。更に、ＲＡＭ１１にはＤＶＤディスク５０から読み出した後述の配置情報を一時的に格納する用途にも用いられる。
【００３４】
ＲＯＭ１２は、制御部１で実行されるプログラムが記憶してあり、ＤＶＤレコーダの図示しない電源スイッチがオンされた場合、ＲＯＭ１２に記憶してあるプログラムを読み出して制御部１は処理を開始する。ＲＯＭ１２は、マスクＲＯＭ又はフラッシュメモリ等の不揮発性メモリ素子で構成する。
【００３５】
本発明に係るＤＶＤレコーダは、記録媒体であるＤＶＤディスク５０に動画データと、ＤＶＤディスク５０内に記録されている動画データの位置を示す配置情報とを追記していくことで、書き換え不可能な記録媒体においても論理的に動画データの編集を可能にしている。図２は、本発明に係るＤＶＤレコーダが記録したＤＶＤディスク５０の物理的データ配置の一例を示す模式図である。図２において（ａ）は動画データの記録を行っていない状態を示しており、（ａ）から（ｅ）へ時系列に動画データの記録又は編集の処理を行っていった場合の物理データ配置を順に示している。
【００３６】
（ａ）の状態においては、ＤＶＤディスク５０に動画データは記録されていないため、ＤＶＤディスク５０には先頭から配置情報１のみが記録されており、配置情報１には動画データが存在しないことを示す情報が含まれている。（ｂ）の状態は、（ａ）の状態に動画データＡを記録したものであり、配置情報１の後に動画データＡが追記され、その後に動画データＡの記録位置を示す情報が含まれた配置情報２が追記される。（ｃ）の状態は更に動画データＢ及び動画データＣを記録したものであり、配置情報２の後に動画データＢ及び動画データＣが連続で追記され、その後に配置情報３が追記されている。配置情報３には動画データＡ、Ｂ、Ｃの記録位置を示す情報が含まれている。（ｄ）の状態は、（ｃ）の状態において動画データＡを２つの動画データに分割して動画データＡ１及び動画データＡ２とする編集処理を行ったものであり、配置情報３の後に配置情報４のみが追記され、配置情報４には動画データＡ１、Ａ２、Ｂ、Ｃの記録位置を示す情報が含まれている。（ｅ）の状態は更に動画データＢを消去する編集処理を行ったものであり、配置情報４の後に配置情報５のみが追記される。配置情報５には動画データＡ１、Ａ２、Ｃの記録位置を示す情報が含まれ、動画データＢの記録位置を示す情報は含まれないため、動画データＢはＤＶＤディスク５０に物理的に存在しているが読み出すことができない状態となり、論理的に消去の編集を行うことができる。
【００３７】
（ｄ）の状態及び（ｅ）の状態においては、動画データは追加されていないが、編集処理に伴う配置情報の更新により、更新された配置情報を追記するため、追記可能な未書込領域が減少する。使用者が編集処理を行い続けた場合には、配置情報の追記により未書込領域が減少していき、最終的にＤＶＤディスク５０は配置情報を追記することができなくなり、編集不可能な状態になる。本発明に係るＤＶＤレコーダは、使用中に突然にＤＶＤディスク５０が編集不可能な状態にならないよう、ＤＶＤディスク５０の編集可能回数を計算して、使用者に知らせる機能を有している。この機能により使用者は編集可能回数の減少に注意しながら編集作業を行うことができる。
【００３８】
ＤＶＤディスク５０の編集可能回数をｎ、ＤＶＤディスク５０の未書込領域の容量をＶ、最新の配置情報の情報量をｓとし、ＤＶＤディスク５０の編集を行う場合の配置情報の情報量の変化量をΔｓとした場合、以下の式が成立する。なお、Δｓは編集によって予想される変化量であり、実験的又は経験的に一定の値が予め定められている。
【００３９】
【数１】
2006216163.tif 000003
【００４０】
（１）式を満たす最大のｎを算出することで、編集可能回数を求めることができる。編集可能回数の算出は、ＤＶＤディスク５０をＤＶＤドライブ８に装着したとき、ＤＶＤディスク５０に動画データの記録を行ったとき、及びＤＶＤディスク５０に記録された動画データの編集を行ったときに行われ、出力部４に接続された外部の表示装置５１に編集メニュー又は再生メニュー等と共に表示される。
【００４１】
図３は、本発明に係るＤＶＤレコーダにおいてＤＶＤディスク５０が装着された場合に制御部１が行う処理を示すフローチャートである。制御部１は、ＤＶＤドライブ８にＤＶＤディスク５０が装着されたか否かを調べ（ステップＳ１）、装着されていない場合には（Ｓ１：ＮＯ）、ＤＶＤディスク５０が装着されるまで待機する。ＤＶＤディスク５０が装着された場合（Ｓ１：ＹＥＳ）、装着されたＤＶＤディスク５０に記録されている最新の配置情報を検索し（ステップＳ２）、最新の配置情報を読み出してＲＡＭ１１に記憶する（ステップＳ３）。
【００４２】
次いで、読み出した配置情報の情報量を検出する（ステップＳ４）。配置情報の情報量は、配置情報が記録されているファイルのファイルサイズを調べることで得られる。次いで、ＤＶＤディスク５０の未書込領域の容量を検出する（ステップＳ５）。未書込領域の容量は、配置情報から記録媒体に記録されているデータの容量を調べて、記録媒体の全容量から記録済みのデータの合計容量を引き算することで得ることができる。得られた配置情報の情報量及び未書込領域の容量から、上述の（１）式により編集可能回数を算出し（ステップＳ６）、算出した編集可能回数を編集メニュー又は再生メニュー等の表示命令と共に画像処理部６へ与えることで、出力部４に接続された外部の表示装置５１に編集可能回数を表示する（ステップＳ７）。
【００４３】
使用者がＤＶＤディスク５０をＤＶＤドライブ８に装着した場合に、ＤＶＤディスク５０の編集可能回数を表示することで、使用者に編集できる回数を知らせて注意を促すことができるため、ＤＶＤディスク５０が突然に編集不可能な状態になることを防ぐことができる。
【００４４】
図４は、本発明に係るＤＶＤレコーダにおいてＤＶＤディスク５０に動画データを記録する場合に制御部１が行う処理を示すフローチャートである。制御部１は、使用者により動画データの記録処理の指示を受けた場合、ハードディスクコントローラ１３を介してハードディスク１４から指定された動画データを読み出し（ステップＳ１１）、読み出した動画データを一時的にＲＡＭ１１に記憶する（ステップＳ１２）。ＲＡＭ１１は書き込み用のバッファとして用いられ、ＲＡＭ１１からＤＶＤドライブ８へ動画データを送出してＤＶＤディスク５０に書き込みを行う（ステップＳ１３）。書き込みを行う動画データが全て終了したか否かを調べ（ステップＳ１４）、終了していない場合は（Ｓ１４：ＮＯ）、ステップＳ１１へ戻って動画データの書き込みを継続する。
【００４５】
書き込みを行う動画データが終了した場合（Ｓ１４：ＹＥＳ）、書き込んだ動画データの配置に関する情報が含まれるように、ＲＡＭ１１に記憶してある配置情報を更新する（ステップＳ１５）。次いで最新の配置情報の情報量の検出を行い（ステップＳ１６）、ＤＶＤディスク５０の未書込領域の容量の検出を行い（ステップＳ１７）、（１）式により編集可能回数を算出する（ステップＳ１８）。算出した編集可能回数を編集メニュー又は再生メニュー等の表示命令と共に画像処理部６へ与えることで、出力部４に接続された外部の表示装置５１に編集可能回数を表示する（ステップＳ１９）。
【００４６】
ＤＶＤディスク５０に動画データを記録した場合、ＤＶＤディスク５０の未書込領域が大幅に減少するため、編集可能回数が減少する。このため、動画データを記録した場合は、使用者に対して編集可能回数の減少を確実に知らせて注意を促し、ＤＶＤディスク５０が突然に編集不可能な状態になることを防ぐ。
【００４７】
図５は、本発明に係るＤＶＤレコーダにおいてＤＶＤディスク５０に記録された動画データの編集を行う場合に制御部１が行う処理を示すフローチャートである。制御部１は、使用者から動画データの消去、名称変更又は分割等の編集要求を受けたか否かを調べ（ステップＳ３１）、編集要求を受けていない場合は（Ｓ３１：ＮＯ）、編集要求を受けるまで待機する。編集要求を受けた場合（Ｓ３１：ＹＥＳ）、ＲＡＭ１１に記憶してあるＤＶＤディスク５０に記録された動画データの配置情報を更新する（ステップＳ３２）。編集処理は、例えば動画データの消去を行う場合には、配置情報に含まれている対象の動画データの項目を削除することで行われる。また、動画データの分割を行う場合には、対象の動画データの終了位置を変更することで一方の動画データの情報とし、一方の動画データの終了位置の次の位置を開始位置とし、編集前の動画データの終了位置を終了位置とする動画データの項目を新たに配置情報に追加することで他方の動画データの情報とすることができる。
【００４８】
次いで、最新の配置情報の情報量の検出を行い（ステップＳ３３）、ＤＶＤディスク５０の未書込領域の容量の検出を行い（ステップＳ３４）、（１）式により編集可能回数を算出する（ステップＳ３５）。算出した編集可能回数を編集メニュー又は再生メニュー等の表示命令と共に画像処理部６へ与えることで、出力部４に接続された外部の表示装置５１に編集可能回数を表示する（ステップＳ３６）。
【００４９】
ＤＶＤディスク５０に動画データを記録した場合及びＤＶＤディスク５０に記録された動画データの編集を行った場合には、ＲＡＭ１１に記憶された配置情報が更新される。更新された配置情報は、ＤＶＤドライブ８からＤＶＤディスク５０が取り出される際に書き込みを行う。これにより、配置情報の書き込みを減らすことができるため、ＤＶＤディスク５０の未書込領域の減少を抑えることができる。図６は、本発明に係るＤＶＤレコーダにおける制御部１がＤＶＤディスク５０の取出要求を受けた場合の処理を示すフローチャートである。
【００５０】
制御部１は、使用者からのＤＶＤディスク５０の取出要求を受けたか否かを調べ（ステップＳ４１）、取出要求を受けていない場合は（Ｓ４１：ＮＯ）、取出要求を受けるまで待機する。取出要求を受けた場合は（Ｓ４１：ＹＥＳ）、ＲＡＭ１１に記憶された配置情報を読み出してＤＶＤドライブ８へ送出し、書き込みを行う（ステップＳ４２）。配置情報の書き込みが終了した後、ＤＶＤドライブ８へＤＶＤディスク５０の排出命令を送出し（ステップＳ４３）、ＤＶＤディスク５０を排出する。
【００５１】
以上の構成のＤＶＤレコーダにおいては、使用者が使用中にＤＶＤディスク５０が編集不可能な状態にならないように、ＤＶＤディスク５０の未書込領域の容量から編集可能回数を算出して表示することができる。図７は、本発明に係るＤＶＤレコーダが表示装置５１に編集可能回数を表示する場合の一例を示す模式図である。
【００５２】
本図に示す表示例は、図２における（ｄ）の状態のＤＶＤディスク５０をＤＶＤドライブ８に装着した場合の表示例である。表示装置５１には、ＤＶＤディスク５０に記録された動画データＡ１、Ａ２、Ｂ及びＣがサムネイルによる一覧表示され、ＤＶＤディスク５０に記録された動画データに対して行うことができる処理がメニュー表示される。また、ＤＶＤディスク５０の未書込領域の容量及び編集可能回数が表示される。未書込領域の容量を表示することで、使用者は適切な容量の動画データをＤＶＤディスクに新たに書き込むことができる。編集可能回数を表示することで、使用者は余裕を持って編集作業を行うことができる。
【００５３】
なお、本発明に係るＤＶＤビデオレコーダにおいては、編集可能回数を求めるための（１）式において、配置情報の情報量の変化量Δｓを一定の値としたが、これに限らず、ＤＶＤディスク５０に記録されている複数の配置情報の情報量を検出し、これらから変化量Δｓを算出してもよい。
【００５４】
あるいはこれに代えて、ＤＶＤディスク５０に記録されている動画データの数、動画データの容量及び未書込領域の容量等から予想される変化量Δｓを決定するテーブルを用意しておき、編集可能回数を算出する際にテーブルを参照して変化量Δｓを決定するようにしてもよく、その他の方法で変化量Δｓを決定してもよい。また、編集可能回数を（１）式から算出する構成としたが、これに限らず、他の算出式を用いる構成でもよく、ＤＶＤディスク５０の未書込領域の容量、配置情報の情報量及び配置情報の変化量から編集可能回数を決定するテーブルを用いる構成でもよい。
【００５５】
また、ＤＶＤディスク５０に動画データを記録する場合、記録を行った後に編集可能回数を表示するものとしたが、これに限らず、使用者からの記録要求を受けた場合には、実際にＤＶＤディスク５０に記録を行う前に編集可能回数を算出して表示してもよく、この場合はより使用者が記録及び編集を行いやすいデータ記録装置を提供することができる。また、配置情報をＤＶＤディスク５０の取り出し時に書き込む構成としたが、これに限らず、使用者の書き込み指示に従って配置情報をＤＶＤディスク５０に書き込む構成としてもよい。また、記録媒体としてＤＶＤ−Ｒ、ＤＶＤ−ＲＷ、ＤＶＤ＋Ｒ及びＤＶＤ＋ＲＷ等のＤＶＤを用いるものとしたが、これに限らず、ＣＤ−Ｒ及びＣＤ−ＲＷ等のＣＤを用いてもよく、更に他の記録媒体を用いてもよい。
【図面の簡単な説明】
【００５６】
【図１】本発明に係るデータ記録装置であるＤＶＤレコーダの構成を示すブロック図である。
【図２】本発明に係るＤＶＤレコーダが記録したＤＶＤディスクの物理的データ配置の一例を示す模式図である。
【図３】本発明に係るＤＶＤレコーダにおいてＤＶＤディスクが装着された場合に制御部が行う処理を示すフローチャートである。
【図４】本発明に係るＤＶＤレコーダにおいてＤＶＤディスクに動画データを記録する場合に制御部が行う処理を示すフローチャートである。
【図５】本発明に係るＤＶＤレコーダにおいてＤＶＤディスクに記録された動画データの編集を行う場合に制御部が行う処理を示すフローチャートである。
【図６】本発明に係るＤＶＤレコーダにおける制御部がＤＶＤディスクの取出要求を受けた場合の処理を示すフローチャートである。
【図７】本発明に係るＤＶＤレコーダが表示装置に編集可能回数を表示する場合の一例を示す模式図である。
【符号の説明】
【００５７】
１  制御部
４  出力部
６  画像処理部
８  ＤＶＤドライブ
１１  ＲＡＭ
５０  ＤＶＤディスク
５１  表示装置
【図１】
2006216163.tif 000004
【図２】
2006216163.tif 000005
【図３】
2006216163.tif 000006
【図４】
2006216163.tif 000007
【図５】
2006216163.tif 000008
【図６】
2006216163.tif 000009
【図７】
2006216163.tif 000010